(57)【要約】      （修正有）【課題】複数の磁性体に対して磁気特性の測定を行う場合に、巻線費用と作業時間を低減する。【解決手段】環状の磁性体の磁気特性を測定する場合、励磁巻線あるいは検出巻線は、オス側コネクタ６、メス側コネクタ７、外部端子８、オス側内部端子９、メス側内部端子１０から構成される。オス側コネクタ６およびメス側コネクタ７のそれぞれの内部には、励磁巻線２が埋め込まれている。オス側コネクタ６とメス側コネクタ７とにより磁性体を挟みこむ。オス側内部端子９はメス側内部端子１０に脱着可能に嵌め合わせられる。これにより励磁巻線２は、コイル状に形成される。【選択図】図１
2012042212.tif 000002
【特許請求の範囲】
【請求項１】
環状の磁性体に巻き回された励磁巻線と、
該励磁巻線に接続される電源と、
前記電源から前記励磁巻線に供給される電流によって前記磁性体内に生ずる磁束の変化を検出する前記磁性体に巻き回された検出巻線と、
該検出巻線に生ずる起電力を検出する電圧計とを備え、前記磁性体の磁気特性を測定する磁気測定治具において、
前記励磁巻線または前記検出巻線は、前記磁性体を挟み込む一対のコネクタに形成され、
前記コネクタは、前記磁性体を挟み込むように、第１のコネクタおよび第２のコネクタに分かれており、
前記第１のコネクタの第１の面と前記第２のコネクタの第２の面とを対面させることで、前記巻線が前記ターンを構成するように、前記第１の面および前記第２の面にコネクタ用接続端子が形成され、該コネクタ用接続端子同士は着脱可能に嵌合され、
前記第１のコネクタおよび第２のコネクタには、それぞれの巻線と前記ターンごとに導通した接続端子が形成され、
前記励磁巻線を形成する前記コネクタには任意のターン数の前記接続端子に前記電源が接続され、前記検出巻線を形成する前記コネクタには前記電圧計が接続されることを特徴とする磁気測定治具。
【請求項２】
環状の磁性体に巻き回された励磁巻線と、
該励磁巻線に接続される電源と、
前記電源から前記励磁巻線に供給される電流によって前記磁性体内に生ずる磁束の変化を検出する前記磁性体に巻き回された検出巻線と、
該検出巻線に生ずる起電力を検出する電圧計とを備え、前記磁性体の磁気特性を測定する磁気測定治具において、
前記励磁巻線または前記検出巻線は、前記磁性体を挟み込む一対のコネクタに形成され、
前記コネクタは、第１のコネクタおよび第２のコネクタに分かれており、
前記第１のコネクタおよび前記第２のコネクタは、前記ターンごとに前記巻線と導通した導線で接続されており、
前記第１のコネクタの第１の面と前記第２のコネクタの第２の面とを対面させ、前記巻線と前記導線とで前記ターンを構成するように、前記第１の面および前記第２の面にコネクタ用接続端子が形成され、該コネクタ用接続端子同士は着脱可能に嵌合され、
前記第１のコネクタおよび第２のコネクタには、それぞれの巻線と前記ターンごとに導通した接続端子が形成され、
前記励磁巻線を形成する前記コネクタには任意のターン数の前記接続端子に前記電源が接続され、前記検出巻線を形成する前記コネクタには前記電圧計が接続されることを特徴とする磁気測定治具。
【請求項３】
環状の磁性体に巻き回された励磁巻線と、
該励磁巻線に接続される電源と、
前記電源から前記励磁巻線に供給される電流によって前記磁性体内に生ずる磁束の変化を検出する前記磁性体に巻き回された検出巻線と、
該検出巻線に生ずる起電力を検出する電圧計とを備え、前記磁性体の磁気特性を測定する磁気測定治具において、
前記励磁巻線または前記検出巻線は、前記磁性体を挟み込む一対のコネクタに形成され、
前記コネクタは、前記磁性体を挟み込むように、第１のコネクタおよび第２のコネクタに分かれており、
前記第１のコネクタおよび前記第２のコネクタは、それぞれ前記ターンごとに分かれており、前記ターンごとの各コネクタが連結部材に取り付けられていることによって構成され、
前記第１のコネクタおよび第２のコネクタには、それぞれの巻線と前記ターンごとに導通した接続端子が形成され、
前記励磁巻線を形成する前記コネクタには任意のターン数の前記接続端子に前記電源が接続され、前記検出巻線を形成する前記コネクタには前記電圧計が接続されることを特徴とする磁気測定治具。
【請求項４】
環状の磁性体に巻き回された励磁巻線と、
該励磁巻線に接続される電源と、
前記電源から前記励磁巻線に供給される電流によって前記磁性体内に生ずる磁束の変化を検出する前記磁性体に巻き回された検出巻線と、
該検出巻線に生ずる起電力を検出する電圧計とを備え、前記磁性体の磁気特性を測定する磁気測定治具において、
前記励磁巻線または前記検出巻線は、前記磁性体を挟み込む一対のコネクタに形成され、
前記コネクタは、前記磁性体を挟み込むように、第１のコネクタおよび第２のコネクタに分かれており、
前記第１のコネクタおよび前記第２のコネクタは、それぞれ前記ターンごとに分かれており、前記ターンごとの各コネクタには連結機構が形成され、該連結機構同士が組み合わせられることによって構成され、
前記第１のコネクタおよび第２のコネクタには、それぞれの巻線と前記ターンごとに導通した接続端子が形成され、
前記励磁巻線を形成する前記コネクタには任意のターン数の前記接続端子に前記電源が接続され、前記検出巻線を形成する前記コネクタには前記電圧計が接続されることを特徴とする磁気測定治具。
【発明の詳細な説明】
【技術分野】
【０００１】
本発明は、磁性体（例えば、環状の磁性体）の磁気特性を電磁気的に測定するに際し、磁性体の励磁およびそれによる起電力の検出を行うための磁気測定治具に関する。
【背景技術】
【０００２】
一般的な磁性体の磁気特性の測定方法として、環状の磁性体、励磁巻線、検出巻線などを用いる方法がある。この測定方法を、図１０により説明する。
図１０は、従来の磁気測定治具を示す図である。１は磁性体、２は励磁巻線、３は検出巻線、４は交流電源、５は電圧計である。
【０００３】
図１０では、環状の磁性体１に、励磁巻線２と検出巻線３を巻きつけている。そして、励磁巻線２の両端に交流電源４、検出巻線３の両端に電圧計５を接続している。
ここで、交流電源４を用いて励磁巻線２に電流を流すことで、励磁巻線２の内部には、磁界が発生する。この磁界により、磁性体１の内部で磁束の流れが生じ、磁束の変化に比例した起電力が検出巻線３に発生する。検出巻線３では電圧を検出し、その電圧から磁束密度を算出することで、磁性体１の磁化特性を評価する。
【０００４】
しかし、図１０の方法では、励磁巻線および検出巻線を磁性体に巻きつけ、測定後には取り外すという手作業が必要となる。そのため、多くの磁性体を測定する場合には、磁性体ごとに、巻線の取り付けと取外しをそのつど行わなければならず、巻線コストや多くの作業時間がかかる。
【０００５】
さらに、人手による巻きつけを行うため、均一性が保てず、測定誤差が生じる可能性があるほか、磁性体にも機械的なストレスがかかり、磁気特性が変化してしまう、という問題があった。
【０００６】
そこで、これらの問題を解決するため、巻線を巻きつけるためのコイル枠を設け、巻線とコイル枠を上下に分断した構成の磁気測定治具が知られている（特許文献１参照）。以下、図１１および図１２により、説明する。
【０００７】
図１１は、従来のその他の磁気測定治具の透過斜視図である。１４は上部コイル枠、１５は下部コイル枠、１６はコイル枠用接続端子である。
図１１では、励磁巻線２と検出巻線３が、磁性体（図示していない）の全体に巻きつくように、上部コイル枠１４と下部コイル枠１５とが一体となって巻かれている。上部コイル枠１４と下部コイル枠１５とは、コイル枠用接続端子１６で接続されている。
【０００８】
図１２は、図１１の巻線の任意の１ターンの形成を拡大断面で示した図である。
図１２では、磁性体１の磁気特性を測定する際には、下部コイル枠１５に磁性体１を落とし込んで収納し、上部コイル枠１４で蓋をすることで、コイル枠用接続端子１６により上部と下部に分断された巻線が着脱可能に接続され、磁性体１への巻線の全体的な巻きつけが実現される。
【０００９】
これにより、磁性体１への巻線の簡易な巻きつけとその取外しが可能となる。従って、巻きつけの手間をかけずに、ばらつきのない精度の高い測定を短時間で行うことができる。
【先行技術文献】
【特許文献】
【００１０】
【特許文献１】特開２００４−１９８２２４号公報
【発明の概要】
【発明が解決しようとする課題】
【００１１】
しかし、このような従来の磁気測定治具には、以下のような課題があった。
特許文献１では、あらかじめ所定のターン数の巻線を決定し、そのターン数に合わせて上下のコイル枠と巻線を形成する必要がある。
【００１２】
そのため、磁性体の磁気測定に際し、評価条件の変更によりターン数（巻数）を変更したい場合には、再度、変更したターン数に合わせて上下コイル枠と巻線とを作り直す必要がある。従って、短時間で変更できず、コストがかかってしまう。
【００１３】
特に、磁性体の全体に巻線を巻きつけているため、上下コイル枠は、磁性体全体を収納できる大きさである必要がある。従って、上記の作り直しは容易に行うことが難しい。
そこで、本発明の目的は、上記の課題を解決するべく、巻数の変更に容易に対応できる磁気測定治具を提供することである。
【課題を解決するための手段】
【００１４】
前記の目的を達成するために、本発明によれば、環状の磁性体に巻き回された励磁巻線と、該励磁巻線に接続される電源と、前記電源から前記励磁巻線に供給される電流によって前記磁性体内に生ずる磁束の変化を検出する前記磁性体に巻き回された検出巻線と、該検出巻線に生ずる起電力を検出する電圧計とを備え、前記磁性体の磁気特性を測定する磁気測定治具において、前記励磁巻線または前記検出巻線は、前記磁性体を挟み込む一対のコネクタに形成され、前記コネクタは、前記磁性体を挟み込むように、第１のコネクタおよび第２のコネクタに分かれており、前記第１のコネクタの第１の面と前記第２のコネクタの第２の面とを対面させることで、前記巻線が前記ターンを構成するように、前記第１の面および前記第２の面にコネクタ用接続端子が形成され、該コネクタ用接続端子同士は着脱可能に嵌合され、前記第１のコネクタおよび第２のコネクタには、それぞれの巻線と前記ターンごとに導通した接続端子が形成され、前記励磁巻線を形成する前記コネクタには任意のターン数の前記接続端子に前記電源が接続され、前記検出巻線を形成する前記コネクタには前記電圧計が接続されることを特徴とする磁気測定治具とする。
【００１５】
また、本発明によれば、環状の磁性体に巻き回された励磁巻線と、該励磁巻線に接続される電源と、前記電源から前記励磁巻線に供給される電流によって前記磁性体内に生ずる磁束の変化を検出する前記磁性体に巻き回された検出巻線と、該検出巻線に生ずる起電力を検出する電圧計とを備え、前記磁性体の磁気特性を測定する磁気測定治具において、前記励磁巻線または前記検出巻線は、前記磁性体を挟み込む一対のコネクタに形成され、前記コネクタは、第１のコネクタおよび第２のコネクタに分かれており、前記第１のコネクタおよび前記第２のコネクタは、前記ターンごとに前記巻線と導通した導線で接続されており、前記第１のコネクタの第１の面と前記第２のコネクタの第２の面とを対面させ、前記巻線と前記導線とで前記ターンを構成するように、前記第１の面および前記第２の面にコネクタ用接続端子が形成され、該コネクタ用接続端子同士は着脱可能に嵌合され、前記第１のコネクタおよび第２のコネクタには、それぞれの巻線と前記ターンごとに導通した接続端子が形成され、前記励磁巻線を形成する前記コネクタには任意のターン数の前記接続端子に前記電源が接続され、前記検出巻線を形成する前記コネクタには前記電圧計が接続されることを特徴とする磁気測定治具とする。
【００１６】
また、本発明によれば、環状の磁性体に巻き回された励磁巻線と、該励磁巻線に接続される電源と、前記電源から前記励磁巻線に供給される電流によって前記磁性体内に生ずる磁束の変化を検出する前記磁性体に巻き回された検出巻線と、該検出巻線に生ずる起電力を検出する電圧計とを備え、前記磁性体の磁気特性を測定する磁気測定治具において、前記励磁巻線または前記検出巻線は、前記磁性体を挟み込む一対のコネクタに形成され、前記コネクタは、前記磁性体を挟み込むように、第１のコネクタおよび第２のコネクタに分かれており、前記第１のコネクタおよび前記第２のコネクタは、それぞれ前記ターンごとに分かれており、前記ターンごとの各コネクタが連結部材に取り付けられていることによって構成され、前記第１のコネクタおよび第２のコネクタには、それぞれの巻線と前記ターンごとに導通した接続端子が形成され、前記励磁巻線を形成する前記コネクタには任意のターン数の前記接続端子に前記電源が接続され、前記検出巻線を形成する前記コネクタには前記電圧計が接続されることを特徴とする磁気測定治具とする。
【００１７】
また、本発明によれば、環状の磁性体に巻き回された励磁巻線と、該励磁巻線に接続される電源と、前記電源から前記励磁巻線に供給される電流によって前記磁性体内に生ずる磁束の変化を検出する前記磁性体に巻き回された検出巻線と、該検出巻線に生ずる起電力を検出する電圧計とを備え、前記磁性体の磁気特性を測定する磁気測定治具において、前記励磁巻線または前記検出巻線は、前記磁性体を挟み込む一対のコネクタに形成され、前記コネクタは、前記磁性体を挟み込むように、第１のコネクタおよび第２のコネクタに分かれており、前記第１のコネクタおよび前記第２のコネクタは、それぞれ前記ターンごとに分かれており、前記ターンごとの各コネクタには連結機構が形成され、該連結機構同士が組み合わせられることによって構成され、前記第１のコネクタおよび第２のコネクタには、それぞれの巻線と前記ターンごとに導通した接続端子が形成され、前記励磁巻線を形成する前記コネクタには任意のターン数の前記接続端子に前記電源が接続され、前記検出巻線を形成する前記コネクタには前記電圧計が接続されることを特徴とする磁気測定治具とする。
【発明の効果】
【００１８】
本発明により、巻数の変更に容易に対応することができる磁気測定治具を実現することができる。
【図面の簡単な説明】
【００１９】
【図１】本発明の第１の実施例の磁気測定治具の構成を示す図である。
【図２】本発明の第１の実施例の磁気測定治具を磁性体に用いた状態を示す図である。
【図３】本発明の第２の実施例の磁気測定治具の構成を示す図である。
【図４】本発明の第２の実施例の磁気測定治具を磁性体に用いた状態を示す図である。
【図５】本発明の第３の実施例の磁気測定治具の構成を示す図である。
【図６】本発明の第３の実施例の磁気測定治具を磁性体に用いた状態を示す図である。
【図７】本発明の第４の実施例の磁気測定治具の構成を示す図である。
【図８】本発明の第４の実施例の磁気測定治具のオス側コネクタの結合状態を示す拡大図である。
【図９】本発明の第４の実施例の磁気測定治具を磁性体に用いた状態を示す図である。
【図１０】従来の磁気測定治具を示す図である。
【図１１】従来のその他の磁気測定治具の透過斜視図である。
【図１２】図１１の巻線の任意の１ターンの形成を拡大断面で示した図である。
【発明を実施するための形態】
【００２０】
実施の形態を以下の実施例で説明する。以下の説明で従来の構造と同一部位には同一の符号を付した。
【実施例】
【００２１】
図１は、本発明の第１の実施例の磁気測定治具の構成を示す図である。６はオス側コネクタ、７はメス側コネクタ、８は外部端子、９はオス側内部端子、１０はメス側内部端子である。
【００２２】
なお、図１および以下の説明は、励磁巻線２および各コネクタの構成、作用であるが、検出巻線３においても同様の構成および作用を有する。
まず、構成として、オス側コネクタ６およびメス側コネクタ７のそれぞれの内部には、励磁巻線２が埋め込まれている。オス側コネクタ６には、外部端子８が１ターンごとに突出している。外部端子８は、コネクタ内部で１ターンごとにオス側内部端子９に接続している。
【００２３】
次に、作用として、オス側コネクタ６とメス側コネクタ７とにより磁性体（図示していない）を挟む込む。このとき、オス側内部端子９はメス側内部端子１０に脱着可能に嵌め合わせられる。これにより、励磁巻線２は、図に示した番号Ａ〜ＣＣの順番で接続され、合計７ターンの巻線を実現する。
【００２４】
以下、この接続について、巻線１ターン分の経路Ａ〜Ｆを用いて説明する。
番号Ａの外部端子８は、オス側コネクタ６の内部を通って、巻線終端方向に巻線１ターン分ズレて番号Ｂのオス側内部端子９に接続される。
【００２５】
番号Ｂのオス側内部端子９は、番号Ｃのメス側内部端子１０に差し込まれ、接続される。
番号Ｃのメス側内部端子１０は、メス側コネクタ７内を通って、番号Ｄのメス側内部端子１０に接続されている。
【００２６】
番号Ｄのメス側内部端子１０は、番号Ｅのオス側内部端子９に差し込まれる。
番号Ｅのオス側内部端子９は、外部端子８として出力されるほか、オス側コネクタ６の内部を通って、番号Ｆのオス側内部端子９に接続される。
【００２７】
以上により、１ターン分の巻線が実現される。この経路を番号Ａ〜ＣＣまで繰り返すことで、合計７ターンの巻線をコネクタ内部で形成している。
次に、この磁気測定治具を実際に磁性体に適用した構成を図２に示す。
【００２８】
図２は、本発明の第１の実施例の磁気測定治具を磁性体に用いた状態を示す図である。
まず、励磁巻線２の側の構成を説明する。
図２では、図１の励磁巻線２に係るオス側コネクタ６およびメス側コネクタ７を用いて、磁気特性の測定対象となる環状の磁性体１が挟み込まれている。オス側内部端子９はメス側内部端子１０に脱着可能に差し込まれることで、励磁巻線２が磁性体１を１５ターン巻いた状態で接続される。
【００２９】
そして、２ターン目と１４ターン目に相当する外部端子８について、交流電源４が接続されている。
同様に、検出巻線３の側の構成を説明する。
【００３０】
励磁巻線２の反対側では、図１の検出巻線３に係るオス側コネクタ６およびメス側コネクタ７を用いて、磁性体１が挟み込まれている。オス側内部端子９はメス側内部端子１０に脱着可能に差し込まれることで、検出巻線３が磁性体１を１５ターン巻いた状態で接続されている。
【００３１】
そして、２ターン目と１４ターン目に相当する外部端子８について、電圧計５が接続されている。
続いて、これらの作用を説明する。
【００３２】
まず、交流電源４により、外部端子８を経由してコネクタ内の励磁巻線２に電流を流す。交流電源４は、２ターン目と１４ターン目の外部端子８に接続されているため、その間の励磁巻線２に磁界（Ｈ）が発生する。
【００３３】
この磁界により、磁性体１の内部で磁束Φの流れが生じ、磁束の変化に比例した起電力が検出巻線３に発生する。
検出巻線３は、コネクタ内に埋め込まれており、ターンごとに外部端子８と接続されている。ここでは、２ターン目と１４ターン目の外部端子８に接続された電圧計５によりその間の電力を検出する。
【００３４】
その後、検出した電圧から磁束密度（Ｂ）を算出し、磁性体１の磁気特性（磁束密度（Ｂ）−磁化（Ｈ）特性、磁束密度（Ｂ）−鉄損（Ｗ）特性）を評価する。
かくして本発明の第１の実施例によれば、各コネクタには、内部の巻線と電気的に結合した外部端子８が１ターンごとに突出している。そのため、磁気測定において、希望する巻数（ターン数）を変更する場合でも、巻数に応じた外部端子８を選択し、交流電源４および電圧計５を接続することにより、巻数の変更を容易に行うことができる。
【００３５】
また、励磁巻線２および検出巻線３は各コネクタ内部で形成され、かつ周方向でオス側コネクタ６とメス側コネクタ７とに分離されるため、励磁巻線２および検出巻線３は、磁性体１に容易に脱着可能となる。従って、巻線の取外しや取り付けが容易になる。
【００３６】
次に、本発明の第２の形態の磁気測定治具について説明する。
図３は、本発明の第２の実施例の磁気測定治具の構成を示す図である。１１は導線である。
【００３７】
なお、図３および以下の説明は、励磁巻線２および各コネクタの構成、作用であるが、検出巻線３においても同様の構成および作用を有する。
まず、構成として、オス側コネクタ６には、オス側内部端子９と外部端子８が突出している。メス側コネクタ７には、メス側内部端子１０が埋め込まれている。
【００３８】
外部端子８は、コネクタ内部でターンごとにオス側内部端子９に接続している。オス側内部端子９および外部端子８と、メス側内部端子１０とは、ターンごとに導線１１を用いて電気的に接続されている。
【００３９】
次に、作用として、オス側コネクタ６とメス側コネクタ７とで、磁性体（図示していない）を挟む込む。このとき、オス側内部端子９はメス側内部端子１０に脱着可能に嵌め合わせられる。これにより、励磁巻線２は、図に示した番号Ａ〜Ｕの順番で接続され、合計６ターンの巻線を実現する。
【００４０】
以下、この接続について、巻線１ターン分の経路Ａ〜Ｕを用いて説明する。
番号Ａの外部端子８は、番号Ｂの導線１１を通って、番号Ｃのメス側内部端子１０と導通している。
【００４１】
番号Ｃのメス側内部端子１０には、番号Ｄのオス側内部端子９が差し込まれ、接続される。
番号Ｄのオス側内部端子９は、番号Ｄの外部端子８としても出力される。
【００４２】
以上により、１ターン分の巻線を実現している。この経路を番号Ａ〜Ｕまで繰り返すことで、合計６ターンの巻線をコネクタ内部で形成している。
次に、この磁気測定治具を実際に磁性体に適用した構成を図４に示す。
【００４３】
図４は、本発明の第２の実施例の磁気測定治具を磁性体に用いた状態を示す図である。
まず、励磁巻線２の側の構成を説明する。
図４では、図３の励磁巻線２に係るオス側コネクタ６およびメス側コネクタ７を用いて、磁気特性の測定対象となる環状の磁性体１が挟み込まれている。その際、オス側内部端子９はメス側内部端子１０に脱着可能に差し込まれることで、励磁巻線２が磁性体１を１５ターン巻いた状態で接続されている。
【００４４】
そして、ここでは、２ターン目と１４ターン目に相当する外部端子８について、交流電源４が接続されている。
同様に、検出巻線３の側の構成を説明する。
【００４５】
励磁巻線２の反対側では、図３の検出巻線３に係るオス側コネクタ６およびメス側コネクタ７を用いて、磁性体１が挟み込まれている。オス側内部端子９はメス側内部端子１０に脱着可能に差し込まれることで、検出巻線３が磁性体１を１５ターン巻いた状態で接続されている。
【００４６】
そして、ここでは、２ターン目と１４ターン目に相当する外部端子８について、電圧計５が接続されている。
続いて、これらの作用を説明する。
【００４７】
まず、交流電源４により、外部端子８を経由してコネクタ内の励磁巻線２に電流を流す。交流電源４は、２ターン目と１４ターン目の外部端子８に接続されているため、その間の励磁巻線２に磁界（Ｈ）が発生する。
【００４８】
この磁界により、磁性体１の内部で磁束Φの流れが生じ、磁束の変化に比例した起電力が検出巻線３に発生する。
検出巻線３は、コネクタ内に埋め込まれており、ターンごとに外部端子８と接続されている。ここでは、２ターン目と１４ターン目の外部端子８に接続された電圧計５によりその間の電力を検出する。
【００４９】
その後、検出した電圧から磁束密度（Ｂ）を算出し、磁性体１の磁気特性（磁束密度（Ｂ）−磁化（Ｈ）特性、磁束密度（Ｂ）−鉄損（Ｗ）特性）を評価する。
かくして本発明の第２の実施例によれば、各コネクタには、内部の巻線とターンごとに電気的に結合した外部端子８が突出している。そのため、磁気測定において、希望する巻数（ターン数）を変更する場合でも、巻数に応じた外部端子８を選択し、交流電源４および電圧計５を接続することにより、巻数の変更を容易に行うことができる。
【００５０】
また、巻線が内部に形成された分離可能なコネクタを用いることで、磁性体１に対して巻線を容易に脱着可能である。
さらに、導線１１により巻線およびコネクタを接続しているため、磁性体２を巻線で締め付けることによる機械的なストレスを排除することができる。
【００５１】
続いて、本発明の第３の形態の磁気測定治具について説明する。
図５は、本発明の第３の実施例の磁気測定治具の構成を示す図である。１２はガイドケーブルである。
【００５２】
なお、図５および以下の説明は、励磁巻線２および各コネクタの構成、作用であるが、検出巻線３においても同様の構成および作用を有する。
まず、構成として、図５のオス側コネクタ６およびメス側コネクタ７については、第１の実施例のものと内部構造は同じである。
【００５３】
しかし、それぞれのコネクタにおいて、巻線１ターンずつコネクタが分離独立しており、分離したそれらのコネクタ同士をガイドケーブル１２で接続することで、オス側コネクタ６およびメス側コネクタ７が構成されている点が異なる。
【００５４】
メス側コネクタ７には、図示されていない方向にメス側内部端子１０が埋め込まれている。オス側コネクタ６にも、図示されていない方向にオス側内部端子９が突出している。
また、オス側コネクタ６には、外部端子８が突出しており、オス側内部端子９と外部端子８とはターンごとにコネクタ内部で接続されている。
【００５５】
オス側コネクタ６およびメス側コネクタ７は、それぞれ巻線１ターンごとに分離独立しており、ガイドケーブル１２により接続されることで形成されている。
次に、作用として、オス側コネクタ６とメス側コネクタ７とで、磁性体（図示していない）を挟む込む。このとき、オス側内部端子９はメス側内部端子１０に脱着可能に嵌め合わせられる。これにより、励磁巻線２は、第１の実施例で示した巻線のターン経路を繰り返すことで、磁性体１を合計６ターン巻いた状態で接続される。
【００５６】
次に、この磁気測定治具を実際に磁性体に適用した構成を図２に示す。
図６は、本発明の第３の実施例の磁気測定治具を磁性体に用いた状態を示す図である。但し、磁性体１は、第１の実施例より曲率の大きいものとなっている。
【００５７】
まず、励磁巻線２の側の構成を説明する。
図６では、図５の励磁巻線２に係るオス側コネクタ６およびメス側コネクタ７を用いて、磁気特性の測定対象となる環状の磁性体１が挟み込まれている。ここで、各コネクタは、それぞれターンごとに分離されたものをガイドケーブル１２で接続して構成している。
【００５８】
その際、オス側内部端子９はメス側内部端子１０に脱着可能に差し込まれることで、励磁巻線２が磁性体１を１９ターン巻いた状態で接続されている。
そして、ここでは７ターン目と１４ターン目に相当する外部端子８について、交流電源４が接続されている。
【００５９】
同様に、検出巻線３の側の構成を説明する。
励磁巻線２の反対側では、図５の検出巻線３に係るオス側コネクタ６およびメス側コネクタ７を用いて、磁性体１が挟み込まれている。
【００６０】
オス側内部端子９はメス側内部端子１０に脱着可能に差し込まれることで、検出巻線３が磁性体１を１９ターン巻いた状態で接続されている。各コネクタは、ガイドケーブル１２により接続されている。
【００６１】
そして、ここでは、２ターン目と７ターン目に相当する外部端子８について、電圧計５が接続されている。
続いて、これらの作用を説明する。
【００６２】
交流電源４を用いてコネクタ内の励磁巻線２に電流を流し、検出巻線３に発生した起電力を電圧計５で検出し、検出した電圧から磁束密度を算出し、磁性体１の磁気特性を評価する。
【００６３】
かくして本発明の第３の実施例によれば、各コネクタには、内部の巻線とターンごとに電気的に結合した外部端子８が突出している。そのため、磁気測定において、希望する巻数（ターン数）を変更する場合でも、巻数に応じた外部端子８を選択し、交流電源４および電圧計５を接続することにより、巻数の変更を容易に行うことができる。
【００６４】
また、巻線が内部に形成された分離可能なコネクタを用いることで、磁性体１に対して巻線を容易に脱着可能である。
さらに、巻線１ターンごとに各コネクタが分離され、それらがガイドケーブル１２で接続される構成であるため、図６のような曲率の大きい磁性体１の磁気測定においても、各コネクタの適用が容易となる。
【００６５】
最後に、本発明の第４の形態の磁気測定治具について説明する。
図７および図８は、本発明の第４の実施例の磁気測定治具の構成を示す図である。１３はガイド機構である。
【００６６】
図７は、各コネクタが連結した状態を示す図である。
図８は、図７のＡ方向から見た状態のオス側コネクタ６の結合状態を示す拡大図である。
【００６７】
なお、図７および図８ならびに以下の説明は、励磁巻線２および各コネクタの構成、作用であるが、検出巻線３においても同様の構成および作用を有する。
まず、構成として、オス側コネクタ６には、オス側内部端子９と外部端子８がコネクタ内部で接続するとともに、外部へ突出している。メス側コネクタ７には、図示されていない方向にメス側内部端子１０が埋め込まれている。
【００６８】
オス側内部端子９および外部端子８と、メス側内部端子１０とは、導線（図示していない）によりターンごとに電気的に接続されている。
つまり、オス側コネクタ６およびメス側コネクタ７の内部構造、導線で接続されている点は、第２の実施例のものと同じである。
【００６９】
しかし、オス側コネクタ６およびメス側コネクタ７は、それぞれ巻線１ターンごとに分離独立しており、１ターンごとにガイド機構１３を備えている点が第２の実施例とは異なる。
【００７０】
ガイド機構１３は、１ターンごとのコネクタの上下部に、テール形状とそれを嵌め込む形状とから形成されている。
次に、作用として、オス側コネクタ６のそれぞれ１ターンごとに分離したものは、ガイド機構１３により連結される。
【００７１】
それぞれの上下でテール形状を嵌め合わせることにより、連結され、オス側コネクタ６を構成する。
同様に、メス側コネクタ７のそれぞれ１ターンごとに分離したものも、ガイド機構１３により、連結され、メス側コネクタ７を構成する。
【００７２】
そして、オス側コネクタ６とメス側コネクタ７とで、磁性体（図示していない）を挟む込む。このとき、オス側内部端子９はメス側内部端子１０に脱着可能に嵌め合わせられる。
【００７３】
ここで、オス側内部端子９および外部端子８と、メス側内部端子１０とは、導線（図示していない）により接続されているので、磁性体を複数ターン巻いた状態で接続されることになる。
【００７４】
次に、この磁気測定治具を実際に磁性体に適用した構成を図９に示す。
図９は、本発明の第４の実施例の磁気測定治具を磁性体に用いた状態を示す図である。但し、磁性体１は、第２の実施例より曲率の大きいものとなっている。
【００７５】
まず、励磁巻線２の側の構成を説明する。
図９では、図７および図８の励磁巻線２に係るオス側コネクタ６およびメス側コネクタ７（それぞれガイド機構１３で接続されている）を用いて、磁気特性の測定対象となる環状の磁性体１を挟み込んでいる。
【００７６】
その際、オス側内部端子９はメス側内部端子１０に脱着可能に差し込まれることで、励磁巻線２が磁性体１を１３ターン巻いた状態で接続されている。各コネクタ間は、ガイド機構１３により接続されている。
【００７７】
そして、ここでは４ターン目と１１ターン目に相当する外部端子８について、交流電源４が接続されている。
同様に、検出巻線３の側の構成を説明する。
【００７８】
励磁巻線２の反対側では、図７および図８の検出巻線３に係るオス側コネクタ６およびメス側コネクタ７を用いて、磁性体１を挟み込んでいる。各コネクタ間は、ガイド機構１３により接続されている。
【００７９】
そして、ここでは、４ターン目と１１ターン目に相当する外部端子８について、電圧計５が接続されている。
続いて、これらの作用を説明する。
【００８０】
交流電源４を用いてコネクタ内の励磁巻線２に電流を流し、検出巻線３に発生した起電力を電圧計５で検出し、検出した電圧から磁束密度を算出し、磁性体１の磁気特性を評価する。
【００８１】
かくして本発明の第４の実施例によれば、各コネクタには、内部の巻線とターンごとに電気的に結合した外部端子８が突出している。そのため、磁気測定において、希望する巻数（ターン数）を変更する場合でも、巻数に応じた外部端子８を選択し、交流電源４および電圧計５を接続することにより、巻数の変更を容易に行うことができる。
【００８２】
また、巻線が内部に形成された分離可能なコネクタを用いることで、磁性体１に対して巻線を容易に脱着可能である。
さらに、導線１１により巻線およびコネクタを接続しているため、磁性体２を巻線で締め付けることによる機械的なストレスを排除することができる。
【００８３】
上記に加え、巻線１ターンごとに各コネクタが分離され、それらがガイド機構１３で接続される構成であるため、図９のような曲率の大きい磁性体１の磁気測定においても、各コネクタの適用が容易となる。
【符号の説明】
【００８４】
１    磁性体
２    励磁巻線
３    検出巻線
４    交流電源
５    電圧計
６    オス側コネクタ
７    メス側コネクタ
８    外部端子
９    オス側内部端子
１０  メス側内部端子
１１  導線
１２  ガイドケーブル
１３  ガイド機構
１４  上部コイル枠
１５  下部コイル枠
１６  コイル枠用接続端子
【図１】
2012042212.tif 000003
【図２】
2012042212.tif 000004
【図３】
2012042212.tif 000005
【図４】
2012042212.tif 000006
【図５】
2012042212.tif 000007
【図６】
2012042212.tif 000008
【図７】
2012042212.tif 000009
【図８】
2012042212.tif 000010
【図９】
2012042212.tif 000011
【図１０】
2012042212.tif 000012
【図１１】
2012042212.tif 000013
【図１２】
2012042212.tif 000014